(57)【特許請求の範囲】
【請求項１】
生体に埋め込まれたチップと、前記チップに情報を書き込む書込装置と、前記チップから情報を読み取る読取装置と、前記読取装置が読み取った情報を管理する管理サーバとを用いて行われる移動履歴情報確認方法であって、
前記チップは、少なくとも、当該チップをそれ以外のチップと識別可能とするチップ識別情報と、前記生体の移動履歴を有する移動履歴情報と、前記生体に関するワクチン接種履歴情報とを記憶情報として記憶しており、
前記生体の移動経路にある書込装置が、当該書込装置が置かれた場所の郵便番号と、当該郵便番号に対応する所定地域への到着日時と前記移動履歴情報として前記書込装置が前記チップに書き込む書込工程と、
前記管理サーバが、前記読取装置が前記チップから読み出した前記チップ識別情報と、前記ワクチン接種履歴情報と、前記移動履歴情報とに基づいて、当該チップ識別情報に対応する生体における接種されたワクチンの効果の有効性を判定する判定工程と
を有する移動履歴情報確認方法。
【請求項２】
前記書込工程は、
前記生体が接種機関でワクチン接種を受けた場合に、当該接種機関に対応付けられた第１の前記書込装置が、当該接種機関の場所の郵便番号を前記移動履歴情報として前記チップに書き込み、当該ワクチン接種に関する前記ワクチン接種履歴情報を前記チップに書き込む第１の書込工程と、
前記第１の書込装置とは異なる場所に設置された第２の前記書込装置が、当該第２の書込装置の場所の郵便番号を前記移動履歴情報として前記チップに書き込む第２の書込工程と、
を有する請求項1に記載の移動履歴情報確認方法。
【請求項３】
前記ワクチン接種履歴情報は、ワクチンの種類、前記ワクチンを接種した日時、接種場所、及び、接種機関を含む
請求項１又は請求項２に記載の移動履歴情報確認方法。
【請求項４】
前記判定工程は、前記ワクチン接種履歴情報と前記移動履歴情報とに基づいて、ワクチン接種履歴がある場合は、接種されたワクチンについて、ワクチンの対象となる伝染病に関し、その時点における接種効果の有効性を判定し、ワクチン接種履歴がない場合は、所定の伝染病の感染の可能性について判定する
請求項１〜３のいずれかに記載の移動履歴情報確認方法。
【請求項５】
前記判定工程は、ワクチン接種履歴がある場合は、前記ワクチン接種履歴情報のワクチン種類と接種日時に基づいて、ワクチン接種効果の有効性として、（１）抗体が生成・維持されていると考えられ、現在有効である、（２）接種から十分な時間が経過していないため、抗体はまだ生成されておらず、まだ有効な状態ではない、（３）接種から相当な期間が経過しているため、生成された抗体が減衰又は消滅してしまっており、接種効果は有効とは言えない、の少なくとも一つの判定を行う
請求項３に記載の移動履歴情報確認方法。
【請求項６】
前記書込装置の書き込み処理は、当該書込装置を常時オン状態として、当該書込装置との無線通信可能な領域に前記生体が初めて入ったときに、前記記憶情報を前記チップに書き込む、
前記書込装置は、前記生体の接近を検知するセンサを備え、当該センサが前記生体の接近を検知したときに、前記書き込み処理を行う
請求項１〜５のいずれかに記載の移動履歴情報確認方法。
【請求項７】
生体に埋め込まれたチップと、前記チップに情報を書き込む書込装置と、読取装置が前記チップから読み取った情報を管理する管理サーバとを有する移動履歴情報確認システムであって、
前記チップは、少なくとも、当該チップをそれ以外のチップと識別可能とするチップ識別情報と、前記生体の移動履歴を有する移動履歴情報と、前記生体に関するワクチン接種履歴情報とを記憶情報として記憶しており、
前記生体の移動経路にある書込装置は、当該書込装置が置かれた場所の郵便番号と、当該郵便番号に対応する所定地域への到着日時と前記移動履歴情報として前記書込装置が前記チップに書き込み、
前記管理サーバは、前記読取装置が前記チップから読み出した前記チップ識別情報と、前記ワクチン接種履歴情報と、前記移動履歴情報とに基づいて、当該チップ識別情報に対応する生体における接種されたワクチンの効果の有効性を判定する
移動履歴情報確認システム。
【請求項８】
前記生体が接種機関でワクチン接種を受けた場合に、当該接種機関に対応付けられた第１の前記書込装置が、当該接種機関の場所の郵便番号を前記移動履歴情報として前記チップに書き込み、当該ワクチン接種に関する前記ワクチン接種履歴情報を前記チップに書き込む第１の書込工程と、
前記第１の書込装置とは異なる場所に設置された第２の前記書込装置が、当該第２の書込装置の場所の郵便番号を前記移動履歴情報として前記チップに書き込む第２の書込工程と、
を行う請求項７に記載の移動履歴情報確認システム。
【請求項９】
前記ワクチン接種履歴情報は、ワクチンの種類、前記ワクチンを接種した日時、接種場所、及び、接種機関を含む
請求項７又は請求項８に記載の移動履歴情報確認システム。
【請求項１０】
前記管理サーバは、前記ワクチン接種履歴情報と前記移動履歴情報とに基づいて、ワクチン接種履歴がある場合は、接種されたワクチンについて、ワクチンの対象となる伝染病に関し、その時点における接種効果の有効性を判定し、ワクチン接種履歴がない場合は、所定の伝染病の感染の可能性について判定する
請求項７〜９のいずれかに記載の移動履歴情報確認システム。
【請求項１１】
前記管理サーバは、ワクチン接種履歴がある場合は、前記ワクチン接種履歴情報のワクチン種類と接種日時に基づいて、ワクチン接種効果の有効性として、（１）抗体が生成・維持されていると考えられ、現在有効である、（２）接種から十分な時間が経過していないため、抗体はまだ生成されておらず、まだ有効な状態ではない、（３）接種から相当な期間が経過しているため、生成された抗体が減衰又は消滅してしまっており、接種効果は有効とは言えない、の少なくとも一つの判定を行う
請求項９に記載の移動履歴情報確認システム。
【請求項１２】
前記書込装置の書き込み処理は、当該書込装置を常時オン状態として、当該書込装置との無線通信可能な領域に前記生体が初めて入ったときに、前記記憶情報を前記チップに書き込む、
前記書込装置は、前記生体の接近を検知するセンサを備え、当該センサが前記生体の接近を検知したときに、前記書き込み処理を行う
請求項７〜１１のいずれかに記載の移動履歴情報確認システム。
【請求項１３】
生体に埋め込まれ、少なくとも、他のチップと識別可能とするチップ識別情報と、前記生体の移動履歴を有する移動履歴情報と、前記生体に関するワクチン接種履歴情報とを記憶情報として記憶するチップに、前記生体の移動経路にある書込装置が、当該書込装置が置かれた場所の郵便番号と、当該郵便番号に対応する所定地域への到着日時と前記移動履歴情報として書き込む移動履歴情報確認方法に用いられる管理サーバであって、
読取装置が前記チップから読み出した前記チップ識別情報と、前記ワクチン接種履歴情報と、前記移動履歴情報とを取得する取得工程と、
前記取得工程で取得した前記チップ識別情報と、前記ワクチン接種履歴情報と、前記移動履歴情報とに基づいて、当該チップ識別情報に対応する生体における接種されたワクチンの効果の有効性を判定する判定工程と
を実行する管理サーバ。
【請求項１４】
前記ワクチン接種履歴情報は、ワクチンの種類、前記ワクチンを接種した日時、接種場所、及び、接種機関を含む
請求項１３に記載の管理サーバ。
【請求項１５】
前記判定工程は、前記ワクチン接種履歴情報と前記移動履歴情報とに基づいて、ワクチン接種履歴がある場合は、接種されたワクチンについて、ワクチンの対象となる伝染病に関し、その時点における接種効果の有効性を判定し、ワクチン接種履歴がない場合は、所定の伝染病の感染の可能性について判定する
請求項１３又は請求項１４に記載の管理サーバ。
【請求項１６】
前記判定工程は、ワクチン接種履歴がある場合は、前記ワクチン接種履歴情報のワクチン種類と接種日時に基づいて、ワクチン接種効果の有効性として、（１）抗体が生成・維持されていると考えられ、現在有効である、（２）接種から十分な時間が経過していないため、抗体はまだ生成されておらず、まだ有効な状態ではない、（３）接種から相当な期間が経過しているため、生成された抗体が減衰又は消滅してしまっており、接種効果は有効とは言えない、の少なくとも一つの判定を行う
請求項１４に記載の管理サーバ。
【発明の詳細な説明】
【技術分野】
【０００１】
本発明は、ワクチンの接種の履歴などの個体関係情報や、個体の移動履歴情報を、世界各地の滞在場所において容易に確認することができる、移動履歴情報確認システム、移動履歴確認方法、及び、移動履歴情報確認方法、並びに、これらに用いる、読取装置、書込装置、及び、チップに関する。
【背景技術】
【０００２】
感染症、インフルエンザその他の伝染病の予防のためにワクチンの接種が行われている。ワクチンの接種は、その効果を強固にするため、ウイルスの変異に対抗するため、減衰してしまった抗体を新たに生じさせるため、といった理由により、同じ伝染病に対して複数回行われることがある。また、伝染病の種類は多岐に渡るため、各伝染病についてワクチンの接種が行われる。このような事情から、ワクチンの接種履歴を確実に記録し、容易に確認する方法として各種の提案がなされている（例えば特許文献１、２）。
【０００３】
一方、近年のグローバル化により、世界の各国を往来する人数が非常に多くなっており、入国者や出国者の健康状態を把握し、伝染病に感染し、症状が発現している者については、入国や出国を制限するなどして、水際で感染を制御し、国内外への感染拡大を未然に防ぐことが求められている。さらに、入出国時において現に症状が出ていなくても、潜伏状態や感染初期の状態である場合があり、このような状態の者を看過して入出国させることは好ましくなく、このような者の入出国を防ぐために、少なくとも、個人の移動履歴情報や、ワクチン接種の履歴や、ワクチン接種の効果を確認することが肝要である。
【先行技術文献】
【特許文献】
【０００４】
【特許文献１】特開２００３−５４１６３号公報
【特許文献２】特許６５３３３２７号公報
【発明の概要】
【発明が解決しようとする課題】
【０００５】
しかしながら、ワクチン接種の履歴は、国ごとに統一された形式で記録されていることは少なく、統一された形式で記録されていたとしても、ほかの国では、言語の違いや記録様式の違いなどにより、接種履歴を容易に確認することができず、ワクチン接種の効果の判定は極めて難しい。
【０００６】
また、対象となる者の移動履歴情報は、パスポートの記録により入出国の情報は確認することができるものの、各国における詳細な移動履歴を把握することが困難である。伝染病が、特定の国や地域において、特定の期間に流行していた等の事実は、世界保健機関等の情報によって特定可能であるが、特定の入出国者がその期間にその国や地域に滞在していたかどうかを詳細に調査することは、プライバシー保護等の点から難しい面がある。
加えて対象となる者の移動履歴を監視記録する装置の設置場所を特定する情報保護はテロリズム抑止には必須である。
【０００７】
そこで本発明は、プライバシーを適度に保護しつつ、世界の各地で、個人の移動履歴情報を取得し、この移動履歴情報に基づいて個人の伝染病の感染状態を容易、迅速、かつ、確実に判定することを可能にすることを目的としている。さらに、本発明は、個人のワクチン接種履歴情報を簡便に取得でき、移動履歴情報と併せることで、個人の伝染病の感染状況の判定をより確実なものとすることを目的としている。
【課題を解決するための手段】
【０００８】
本発明の移動履歴情報確認方法は、生体に埋め込まれたチップと、前記チップに情報を書き込む書込装置と、前記チップから情報を読み取る読取装置と、前記読取装置が読み取った情報を管理する管理サーバとを用いて行われる移動履歴情報確認方法であって、前記チップは、少なくとも、当該チップをそれ以外のチップと識別可能とするチップ識別情報と、前記生体の移動履歴を有する移動履歴情報と、前記生体に関するワクチン接種履歴情報とを記憶情報として記憶しており、前記生体の移動経路にある書込装置が、当該書込装置が置かれた場所の郵便番号と、当該郵便番号に対応する所定地域への到着日時と前記移動履歴情報として前記書込装置が前記チップに書き込む書込工程と、前記管理サーバが、前記読取装置が前記チップから読み出した前記チップ識別情報と、前記ワクチン接種履歴情報と、前記移動履歴情報とに基づいて、当該チップ識別情報に対応する生体における接種されたワクチンの効果の有効性を判定する判定工程とを有する。
【０００９】
好適には、前記書込工程は、前記生体が接種機関でワクチン接種を受けた場合に、当該接種機関に対応付けられた第１の前記書込装置が、当該接種機関の場所の郵便番号を前記移動履歴情報として前記チップに書き込み、当該ワクチン接種に関する前記ワクチン接種履歴情報を前記チップに書き込む第１の書込工程と、前記第１の書込装置とは異なる場所に設置された第２の前記書込装置が、当該第２の書込装置の場所の郵便番号を前記移動履歴情報として前記チップに書き込む第２の書込工程と、を有する。
【００１０】
好適には、前記ワクチン接種履歴情報は、ワクチンの種類、前記ワクチンを接種した日時、接種場所、及び、接種機関を含む。
【００１１】
好適には、前記判定工程は、前記ワクチン接種履歴情報と前記移動履歴情報とに基づいて、ワクチン接種履歴がある場合は、接種されたワクチンについて、ワクチンの対象となる伝染病に関し、その時点における接種効果の有効性を判定し、ワクチン接種履歴がない場合は、所定の伝染病の感染の可能性について判定する。
【００１２】
好適には、前記判定工程は、ワクチン接種履歴がある場合は、前記ワクチン接種履歴情報のワクチン種類と接種日時に基づいて、ワクチン接種効果の有効性として、（１）抗体が生成・維持されていると考えられ、現在有効である、（２）接種から十分な時間が経過していないため、抗体はまだ生成されておらず、まだ有効な状態ではない、（３）接種から相当な期間が経過しているため、生成された抗体が減衰又は消滅してしまっており、接種効果は有効とは言えない、の少なくとも一つの判定を行う
【００１３】
好適には、前記書込装置の書き込み処理は、当該書込装置を常時オン状態として、当該書込装置との無線通信可能な領域に前記生体が初めて入ったときに、前記記憶情報を前記チップに書き込む、前記書込装置は、前記生体の接近を検知するセンサを備え、当該センサが前記生体の接近を検知したときに、前記書き込み処理を行う。
【００１４】
本発明の移動履歴情報確認システムは、生体に埋め込まれたチップと、前記チップに情報を書き込む書込装置と、読取装置が前記チップから読み取った情報を管理する管理サーバとを有する移動履歴情報確認システムであって、前記チップは、少なくとも、当該チップをそれ以外のチップと識別可能とするチップ識別情報と、前記生体の移動履歴を有する移動履歴情報と、前記生体に関するワクチン接種履歴情報とを記憶情報として記憶しており、前記生体の移動経路にある書込装置は、当該書込装置が置かれた場所の郵便番号と、当該郵便番号に対応する所定地域への到着日時と前記移動履歴情報として前記書込装置が前記チップに書き込み、前記管理サーバは、前記読取装置が前記チップから読み出した前記チップ識別情報と、前記ワクチン接種履歴情報と、前記移動履歴情報とに基づいて、当該チップ識別情報に対応する生体における接種されたワクチンの効果の有効性を判定する。
【００１５】
本発明の管理サーバは、生体に埋め込まれ、少なくとも、他のチップと識別可能とするチップ識別情報と、前記生体の移動履歴を有する移動履歴情報と、前記生体に関するワクチン接種履歴情報とを記憶情報として記憶するチップに、前記生体の移動経路にある書込装置が、当該書込装置が置かれた場所の郵便番号と、当該郵便番号に対応する所定地域への到着日時と前記移動履歴情報として書き込む移動履歴情報確認方法に用いられる前記管理サーバであって、読取装置が前記チップから読み出した前記チップ識別情報と、前記ワクチン接種履歴情報と、前記移動履歴情報とを取得する取得工程と、前記取得工程で取得した前記チップ識別情報と、前記ワクチン接種履歴情報と、前記移動履歴情報とに基づいて、当該チップ識別情報に対応する生体における接種されたワクチンの効果の有効性を判定する判定工程とを実行する。
【発明の効果】
【００２２】
本発明によると、プライバシーを適度に保護しつつ、世界の各地で、個人の移動履歴情報を取得し、この移動履歴情報に基づいて個人の伝染病の感染状態を容易、迅速、かつ、確実に判定することが可能な、移動履歴情報確認システム、移動履歴確認方法、及び、移動履歴情報確認方法、並びに、これらに用いる、読取装置、書込装置、及び、チップを提供することができる。
【図面の簡単な説明】
【００２３】
【図１】本発明の第１実施形態に係る移動履歴情報確認システムの構成を示すブロック図である。
【図２】第１実施形態におけるチップのデータの構成を示す図である。
【図３】第１実施形態における管理サーバの記憶部のデータの構成を示す図である。
【図４】第１実施形態に係る移動履歴情報確認システムの各装置間のデータ（情報）の動きを示すフローチャートである。
【図５】第１実施形態の書込装置における処理の流れを示すフローチャートである。
【図６】第１実施形態の読取装置における処理の流れを示すフローチャートである。
【図７】本発明の第２実施形態に係る移動履歴情報確認システムの構成を示すブロック図である。
【図８】第２実施形態の移動履歴情報確認システムに対する情報端末のアクセスの流れを示すフローチャートである。
【発明を実施するための形態】
【００２４】
以下、本発明の実施形態に係る、移動履歴情報確認システム、移動履歴確認方法、及び、移動履歴情報確認方法、並びに、これらに用いる、読取装置、書込装置、及び、チップについて図面を参照しつつ詳しく説明する。
本実施形態では、本発明の個体として生体（例えば人間）を例示するが、当該個体は生体以外にパスポート等の証明書であってもよい。
＜第１実施形態＞
図１に示すように、移動履歴情報確認システム１００は、チップ１０に記憶情報１１を書き込む書込装置２０と、読取装置３０と、管理サーバ４０とを備える。
【００２５】
書込装置２０は、生体である個体に埋め込まれたチップ１０に対して、記憶情報１１を書き込む書込装置である。図２に示すように、記憶情報１１は、チップ１０をそれ以外のチップと識別可能とするチップ識別情報１１０と、個体の移動履歴１２１を有する移動履歴情報１２０と、ワクチン接種履歴情報１３１その他の個体関係情報１３０と、を含む。
【００２６】
チップ１０は、生体である個体に埋め込むことが可能な構成のチップであって、例えばパッシブＲＦＩＤ（Ｒａｄｉｏ  Ｆｒｅｑｕｅｎｃｙ  Ｉｄｅｎｔｉｆｉｅｒ）を用い、電磁波や電波を用いた無線通信によって書き込みや読み取りを行うことができる。チップ１０には、それ以外のチップと識別可能とするチップ識別データ（チップ識別情報１１０）と、埋め込まれた個体の移動履歴を有する移動履歴データ（移動履歴情報１２０）と、個体関係データ（個体関係情報１３０）と、が記憶される。チップ１０が埋め込まれる生体は、人、犬、猫、鳥、馬、豚、牛、その他の動物である。
【００２７】
チップ識別情報１１０は、例えば、チップ１０のメーカー名、型番、ロット番号のほか、チップ１０ごとに付与される製造番号が含まれる。メーカーの製造規模や製造体制等によっては、製造工場名や製造日時を含ませてもよい。
【００２８】
個体関係情報１３０は、ワクチン接種履歴情報１３１が含まれる。このワクチン接種履歴情報１３１には、ワクチンの種類、ワクチン接種の日時、ワクチンの接種場所、ワクチンの接種機関が含まれる。ワクチンの種類には、メーカー名や型番が含まれ、接種場所は、郵便番号に対応する地域名と国名が含まれる。接種機関としては、例えば医療機関、検査機関が挙げられる。
【００２９】
図２に示すように、移動履歴情報１２０に含まれる移動履歴１２１は、郵便番号と、郵便番号に対応する所定地域への到着日時と、に基づいて作成されている。郵便番号は、各国において、郵便物の分類のために、地域ごとに割り当てられた数字や文字であり、例えば、英語圏におけるｐｏｓｔａｌ  ｃｏｄｅや、米国におけるＺＩＰ  ｃｏｄｅを含む。移動履歴１２１における郵便番号は、各国における郵便番号の識別を確実にするために、各国の国名コードを付加することが好ましい。このような郵便番号を用いることにより、個人の移動履歴を全世界に渡って、正確に、かつ、比較的詳細に認識・記録することができる。さらに、住所までは限定されないため、プライバシー保護の観点からは好ましく、各国の所掌機関の参加障壁を除きやすくなる。
【００３０】
図１に示すように、書込装置２０は、書込部２１と通信部２２とを備える。書込部２１は、個体に埋め込まれたチップ１０に対して、記憶情報１１となる、チップ識別情報１１０、移動履歴情報１２０、及び、個体関係情報１３０を書き込む。通信部２２は、チップ１０への情報の書き込みを行う際のチップ１０との無線通信と、ネットワークＮへの無線通信と、をそれぞれ実行可能とするためのものである。
書込装置２０は、一つの郵便番号に対応する地域に１つ以上設置されている。書込装置２０の設置場所に限定はないが、例えば、空港、ワクチン接種機関、感染症等の検査機関、保健所等の公共機関、大学、鉄道の駅に設置される。一つの郵便番号に対応する地域において、チップ１０に対して、移動履歴１２１について複数回の書き込み機会があった場合、チップ１０の仕様や移動履歴情報確認システム１００の仕様等に応じて、（１）すべての移動履歴を保存し、（２）最初若しくは最後の移動履歴のみを保存し、又は、（３）最初と最後の移動履歴を保存してもよい。
【００３１】
読取装置３０は、読取部３１と通信部３２とを備える。読取部３１は、個体に埋め込まれたチップ１０に記憶された記憶情報１１を読み取る。通信部３２は、チップ１０からの情報の読み取りの際のチップ１０との無線通信と、ネットワークＮへの無線通信と、をそれぞれ実行可能とするためのものである。読取装置３０の設置場所に限定はないが、例えば、空港、ワクチン接種機関、感染症等の検査機関、保健所等の公共機関、大学、鉄道の駅に設置される。
【００３２】
上記書込装置２０及び上記読取装置３０の構成は、必要最低限のものである。この書込装置２０の書き込み処理としては、例えば、装置を常時オン状態として、装置との無線通信可能な領域に個体が初めて入ったときに、記憶情報１１をチップ１０に書き込む。なお、書込装置２０への個体の接近を検知するセンサを設け、このセンサが個体の接近を検知したときに、書き込み処理を行うようにすると、使用する電流量を抑えることができる。
【００３３】
上記読取装置３０の読み取り処理としては、例えば、空港の出入国管理に係る職員の指示により、個体が読取装置３０にチップ１０が埋め込まれた部位をかざしたときに、記憶情報１１がチップ１０から読み取られる。
【００３４】
書込装置と読取装置は、上記書込装置２０及び上記読取装置３０よりも多くの機能を有することができ、また、書込部と読込部の両方を備えた装置として構成することもできる。例えば、図１に示す書込装置２０Ｂ（読取装置）のように、書込部２１Ｂ、通信部２２Ｂ、読取部２３Ｂ、表示部２４Ｂ、及び、入力部２５Ｂを備えた構成も可能である。書込部２１Ｂは、上記書込装置２０の書込部２１と同様の機能を有し、読取部２３Ｂは上記読取装置３０の読取部３１と同様の機能を有する。通信部２２Ｂは、上記書込装置２０の通信部２２と上記読取装置３０の通信部３２の機能を併せ持っている。以下の説明においては、書込装置２０又は読取装置３０として、書込部２１と通信部２２以外の機能、又は、読取部３１と通信部３２以外の機能を含んだ構成を想定して説明する場合がある。
【００３５】
書込装置２０Ｂの表示部２４Ｂは、例えば液晶ディスプレイで構成され、チップ１０の読み取りや書き込みに関する、個体としての対象者向けの情報、案内等を表示する。入力部２５Ｂは、書き込みや読み取りの処理過程において、個体としての対象者の確認や指示のための入力操作のためや、書込装置２０Ｂのオペレータによる処理の進行や管理サーバ４０との通信等の操作のために、用いられる。
【００３６】
図１に示すように、管理サーバ４０はネットワークＮを介して書込装置２０、２０Ｂや読取装置３０と通信可能である。この通信は通信部４１を用いて行われる。管理サーバ４０は、通信部４１のほかに、判定部４２と記憶部４３とを備える。さらに、管理サーバ４０には、管理サーバ４０の制御によって所定の表示が行われる表示部５１と、管理サーバ４０上の所定の処理ためのデータ、条件等を入力するための入力部５２とが接続されている。
【００３７】
判定部４２は、ワクチン接種履歴情報１３１と移動履歴情報１２０とに基づいて、ワクチン接種履歴がある場合は、接種されたワクチンについて、ワクチンの対象となる伝染病に関し、その時点における接種効果の有効性を判定し、ワクチン接種履歴がない場合は、所定の伝染病の感染の可能性について判定する。
【００３８】
ワクチン接種履歴がある場合は、ワクチン接種履歴情報１３１のワクチン種類と接種日時に基づいて、ワクチン接種効果の有効性として、例えば、（１）抗体が生成・維持されていると考えられ、現在有効である、（２）接種から十分な時間が経過していないため、抗体はまだ生成されておらず、まだ有効な状態ではない、（３）接種から相当な期間が経過しているため、生成された抗体が減衰又は消滅してしまっており、接種効果は有効とは言えない、と言った判定を行う。
【００３９】
さらに上記（２）、（３）の場合には、移動履歴情報１２０を参照し、例えば、個体が伝染病の感染率の高い地域に滞在していたときは、感染の可能性があるため、感染を確認するための検査を受けるように示唆又は指導する。
【００４０】
ワクチン接種履歴がない場合も、移動履歴情報１２０を参照し、個体が伝染病の感染率の高い地域に滞在していたときは、感染の可能性があるため、感染を確認するための検査を受けるように示唆又は指導する。
【００４１】
図３に示すように、管理サーバ４０の記憶部４３には、チップ識別情報１１０に紐付けられて、移動履歴情報１２０と、個体関係情報１３０と、個体識別情報１４０と、生体認証情報１５０と、ワクチン有効性判定情報１６０と、が記憶されている。
【００４２】
移動履歴情報１２０と個体関係情報１３０は、読取装置３０によってチップ１０から読み取られた情報が、チップ識別情報１１０と紐付けられた状態で、ネットワークＮを介して管理サーバ４０へ送信され、記憶部４３に保存される。
【００４３】
個体識別情報１４０と、生体認証情報１５０と、ワクチン有効性判定情報１６０と、は、チップ１０を埋め込む個体を決定した後であって、書き込みや読み取りを行う前に、管理サーバ４０に直接登録され、保存される。個体識別情報１４０、生体認証情報１５０、及び、ワクチン有効性判定情報１６０は、入力部５２の操作によって入力されて、記憶部４３に保存され、入力作業に必要な情報や、保存された情報が表示部５１に表示される。
ワクチン有効性判定情報１６０は、判定部４２によって上述のように実行された判定の結果と、判定の日時とを含む。
【００４４】
個体識別情報１４０は、個体をその他の個体と識別可能とする情報として、例えば、図３に示す個体識別番号を有する。個体識別番号としては、日本の場合を例に挙げると、個人番号（マイナンバー）、パスポート番号、保険証番号が挙げられる。また、個体識別情報１４０としては、個体識別番号のほか、個体の氏名、生年月日、国籍も使用可能である。
【００４５】
生体認証情報１５０は、顔認識情報と特徴量情報とを含む。生体認証情報１５０は、個体とそれ以外の個体とを識別可能とする、個体固有の情報である。
【００４６】
顔認識情報としては、例えば、顔又は頭の外形形状、目・鼻・口・耳といったパーツそれぞれの全体形状、細部形状、及び、配置、パーツ間の関係性、並びに、外見から認識可能な骨格形状が含まれる。また、顔面や目の虹彩の色や輝度、眉毛、髭、髪型の形状、占有範囲等を含めてもよい。
【００４７】
特徴量情報は、上記顔認識情報と一部重複することもあるが、個体の顔において設定した複数の特徴点の間の距離や距離の比率、特徴点を結んだ形状が含まれる。また、顔に限らず、体全体の形状又は体型や、身長、体重の情報を用いることもできる。
【００４８】
図４を参照して全体的な流れについて説明する。
チップを個体の体に埋め込むにあたって、認証に用いる、個体識別情報１４０と生体認証情報１５０とが管理サーバ４０の記憶部４３へ保存される（ステップＳ１）。さらに、チップ識別情報１１０も管理サーバ４０の記憶部４３に保存される（ステップＳ２）。個体識別情報１４０及び生体認証情報１５０と、チップ識別情報１１０とは互いに関連付けて保存される。チップ識別情報１１０は、管理サーバ４０への保存（ステップＳ２）の前に予めチップ１０内に記憶されている（ステップＳ１１）。
なお、上記ステップＳ１、Ｓ２の順序は逆であってもよい。
【００４９】
チップ１０を埋め込まれた個体が移動し、書込装置２０が配置された場所に達すると、書込装置２０によって移動履歴情報１２０がチップ１０に書き込まれる（ステップＳ１２）。書き込みは、書込装置２０がチップ１０の到達を検知して自動的に開始してもよく、個体自身又はオペレータが書き込みを開始する操作を行うことで開始するようにしてもよい。
【００５０】
チップ１０を埋め込まれた個体がワクチン接種を受けた場合、その接種機関において、移動履歴情報１２０と、個体関係情報１３０としてのワクチン接種履歴情報１３１とがチップ１０に書き込まれる（書込工程）（ステップＳ１２）。
【００５１】
チップ１０に書き込まれた、移動履歴情報１２０と個体関係情報１３０は、書込装置２０から管理サーバ４０へ送信され、記憶部４３に保存される（ステップＳ３）。管理サーバ４０への送信は、書込装置２０の通信部２２によって行われ、そのタイミングは、例えば、チップ１０への書き込みと同時に、又は、書き込みから、予め定めた所定時間後とされる。
【００５２】
個体に埋め込まれたチップ１０は、読取装置３０によって、チップ識別情報１１０と紐付けて、移動履歴情報１２０と個体関係情報１３０とが読み取られる（読取工程）（ステップＳ１３）。読み取られた情報は、管理サーバ４０の記憶部４３に保存された情報と照合される（ステップＳ４）。この照合によって、不正な書き込みがなく、チップ識別情報１１０、移動履歴情報１２０、及び、個体関係情報１３０が、チップ１０に保存された情報と管理サーバ４０の記憶部４３に保存された情報とが同一であると判定したときは、管理サーバ４０の判定部４２は、移動履歴情報１２０と個体関係情報１３０とに基づいて、ワクチン接種の有効性を判定する。判定結果は、管理サーバ４０に接続された表示部５１と、読取装置３０が表示部を有する場合にはその表示部に、表示される。
ここで、ワクチン接種の有効性の判断は、例えば、次のように行われる、判定部４２は、移動履歴情報を基に、当該個体が過去に移動した国（又は地域）とその滞在期間（滞在開始日時と滞在終了日時）を特定し、当該国において当該滞在期間に流行している指定された感染症を特定する。また、判定部４２は、当該個体が当該特定した感染症に有効なワクチンを、当該個体が当該国に入国する前に接種していたか、並びに当該特定した滞在期間においてそのワクチンが有効であるかを判断する。そして、判定部４２は、当該個体の過去の全ての滞在国において、指定された感染症のリスクが所定基準以下、又は当該指定された感染症のリスクが所定基準を超える場合でかつ当該個体が接種した当該感染症のワクチンが有効である場合に、ワクチン接種が有効であると判定する。
【００５３】
図５を参照して書込装置２０における書き込み処理の流れについて説明する。この書き込み処理は図４におけるステップＳ１２とステップＳ３に対応する。
書込装置２０による書き込みは、チップ１０を埋め込まれた個体が書込装置２０の配置された場所に到達した場合にスタートする（ステップＳ２１）。書き込みのスタートは、書込装置２０がチップ１０の到達を検知して自動的に行ってもよく、個体自身又はオペレータが書き込みを開始する操作を行うことで開始するようにしてもよい。
【００５４】
つづいて、書込装置２０は、書き込み対象となるチップ１０の正当性の認証を実行する（ステップＳ２２）。この認証は、少なくとも、チップ１０に記憶されているチップ識別情報１１０を読み取り、管理サーバ４０の記憶部４３に保存されたチップ識別情報１１０との同一性を確認することによって行う。
【００５５】
上記認証の結果、チップ１０が正当なものではなかった場合は、書き込み処理を終了する（ステップＳ２２で「ＮＧ」）。これに対して、チップ１０が正当なものであった場合（ステップＳ２２で「正当」）は、移動履歴情報１２０としての郵便番号及び到着日時をチップ１０に書き込む（ステップＳ２３）。さらに、この書込装置２０がワクチン接種機関に設置されており、ここでワクチン接種を行ったときには、この接種について、ワクチン接種履歴情報１３１をチップ１０に書き込む。
【００５６】
その後、書込装置２０は、管理サーバ４０と通信を行い、チップ１０に書き込んだ、移動履歴情報１２０としての郵便番号及び到着日時、並びに、該当する場合はワクチン接種履歴情報１３１を、管理サーバ４０へ送信する（ステップＳ２４）。そして、管理サーバ４０から、受信した、移動履歴情報１２０及びワクチン接種履歴情報１３１を記憶部４３に保存した旨の通知を受けたところで書き込み処理を終了する（ステップＳ２５）。
【００５７】
図６を参照して読取装置３０における読み取り処理の流れについて説明する。この読み取り処理は図４におけるステップＳ１３とステップＳ４に対応する。
読取装置３０による読み取りは、チップ１０を埋め込まれた個体が読取装置３０の配置された場所に到達した場合に行われる（ステップＳ３１）。読み取りは、例えば、入国審査において審査官の操作により開始され、あるいは、当該個体の感染状況の確認が必要となったときに実行される。
【００５８】
次に、読取装置３０は、書き込み対象となるチップ１０の正当性の認証を実行する（ステップＳ３２）。この認証は、少なくとも、チップ１０に記憶されているチップ識別情報１１０を読み取り、管理サーバ４０の記憶部４３に保存されたチップ識別情報１１０との同一性を確認することによって行う。
【００５９】
上記認証の結果、チップ１０が正当なものではなかった場合は、読み取り処理を終了する（ステップＳ３２で「ＮＧ」）。これに対して、チップ１０が正当なものであった場合（ステップＳ３２で「正当」）、チップ１０から、移動履歴情報１２０としての郵便番号及び到着日時、並びに、個体関係情報１３０としてのワクチン接種履歴情報１３１を読み取る（ステップＳ３３）。
【００６０】
読取装置３０によって読み取られた、移動履歴情報１２０及び個体関係情報１３０はチップ識別情報１１０と紐付けられた状態で、管理サーバ４０へ送信され、判定部４２においてワクチン接種の有効性が判定される（ステップＳ３４）。
【００６１】
上記ステップＳ３４における判定結果は、読取装置３０へ出力（送信）（ステップＳ３５）されるとともに、管理サーバ４０に接続された表示部５１に表示される。読取装置３０が表示部を有する場合は判定結果が表示される。また、上記判定結果は、管理サーバ４０の記憶部４３に保存される（ステップＳ３６）。これらの処理の完了後読み取り処理は終了する（ステップＳ３７）。
【００６２】
以上のように構成されたことから、上記第１実施形態によれば、移動履歴として郵便番号を用いるため、プライバシーを適度に保護しつつ、移動した地域や国を正確に把握することができるため、個体（個人）における伝染病の感染状況の判定を迅速かつ確実に行うことが可能となる。郵便番号を用いるため、言語の違いや記録様式の違いに影響されることが少ない移動履歴情報を生成することが可能となり、これによって、ワクチンの接種履歴を容易に確認することができるようになる。よって、例えば、出入国審査において、又は、医療機関において、個体（個人）の感染状況を直ちに把握できるため、隔離等の対応や保険当局への連絡を迅速に行うことができることから、感染の蔓延の防止を効率的に図ることができる。
【００６３】
＜第２実施形態＞
図７に示すように、第２実施形態に係る移動履歴情報確認システム２００は、第１実施形態に係る移動履歴情報確認システム１００の管理サーバ４０にさらに認証部４４が設けられた構成を備える。さらに、この移動履歴情報確認システム２００に対して、ネットワークＮを介して、情報端末６０がアクセス可能とされている。
なお、以下の説明においては、第１実施形態と同じ部材については同じ参照符号を付して、詳細な説明は省略する。また、書込装置２０及び読取装置３０のそれぞれにおける処理、並びに、移動履歴情報確認システム２００全体の処理のうち、第１実施形態と同様の処理についても詳細な説明は省略する。
【００６４】
情報端末６０は、ネットワークＮを介して移動履歴情報確認システム２００との間で相互に通信可能となる通信機能を有し、所定の演算処理が可能な電子機器であって、例えば、スマートフォンその他の携帯情報端末や、パーソナルコンピュータが挙げられる。
【００６５】
情報端末６０には、生体認証情報１５０に対応する生体情報６１が記憶され、又は、入力機能や撮影機能を用いて生体認証情報１５０に対応する生体情報６１を入力可能である。また、情報端末６０において、個体識別情報１４０に対応する情報が記憶され、又は、このような情報が入力可能されており、この情報により、生体情報６１による認証を補助することや、生体情報６１に代わる認証を行うこともできる。さらに、情報端末６０に、チップ識別情報１１０を記憶させておくと、生体情報６１による認証を補助して確実な認証を行うことができる。
【００６６】
認証部４４は、管理サーバ４０の記憶部４３に保存された生体認証情報１５０と、情報端末６０から管理サーバ４０へ送信された生体情報６１と、を互いに照合することによって、情報端末６０の使用者が生体認証情報１５０に対応する個体であるか否かを認証する。
【００６７】
図８を参照しつつ、認証部４４による認証及び認証後の処理に関して説明する。
まず、情報端末６０から、ネットワークＮを介して、管理サーバ４０にアクセスする（ステップＳ４１）。これに対して、管理サーバ４０は、情報端末６０に対して生体情報６１の送信を要求する。また、管理サーバ４０は、情報端末６０が個体識別情報１４０とチップ識別情報１１０を有している場合は、これらの送信も要求する。
【００６８】
情報端末６０から、生体情報６１が送信されてくると、管理サーバ４０の認証部４４では、記憶部４３に保存されている生体認証情報１５０の顔認識情報及び特徴量情報と、生体情報６１を互いに照合する（照合工程）（ステップＳ４２）。
【００６９】
この照合の結果、情報端末６０から送信された生体情報６１が、記憶部４３に保存されている生体認証情報１５０の顔認識情報及び特徴量情報に対して、予め定めた条件において、適合しないと判断した場合には、情報端末６０から管理サーバ４０へのアクセスを拒否し、認証処理を終了する（ステップＳ４４）。
【００７０】
上記照合（ステップＳ４２）の結果、情報端末６０から送信された生体情報６１と、記憶部４３に保存されている生体認証情報１５０の顔認識情報及び特徴量情報とが、予め定めた条件において、互いに適合したと判断した場合、管理サーバ４０の記憶部４３に保存された、移動履歴情報１２０、個体関係情報１３０、チップ識別情報１１０、個体識別情報１４０、及び、ワクチン有効性判定情報１６０へのアクセスを認証し、これらの情報を情報端末６０上で確認可能とする（情報確認工程）（ステップＳ４３）。
なお、情報端末６０にアクセス可能とする情報は、各国のセキュリティ基準等に沿って、例えば、移動履歴情報１２０、個体関係情報１３０、チップ識別情報１１０、個体識別情報１４０、及び、ワクチン有効性判定情報１６０のうちの移動履歴情報１２０のみへのアクセスを許可するようにしてもよい。
【００７１】
以上の構成によれば、生体認証情報１５０に一致する生体情報を有することを条件に、情報端末６０を通じて管理サーバ４０にアクセスすることが可能となり、チップが埋め込まれた個体（個人）が自身の移動履歴情報１２０や個体関係情報１３０を確認することが可能となる。
なお、その他の作用、効果、変形例は第１実施形態と同様である。
また、例えば、チップ１０の読み込みと書き込みには内容ごとに権限が必要である。チップ１０への情報更新書き込みは管理センターを通じて行われる（双方向）。チップ１０の情報読み込みは情報内容に応じて直接読める権限が与えられている。
【００７２】
本実施形態において、例えば、読取装置３０及び書込装置２０にも、それぞれのユニークな装置識別情報（例えば製造メーカや製造日、出荷先など個体が識別可能なシリアル番号を含むユニークなもの）が付与されている。すなわち、チップ１０のチップ識別情報の他に、読取装置３０及び書込装置２０の装置識別情報も然るべき機関で認可され、管理サーバ４０（センターサーバ）で一括管理されている。
また、読取装置３０では、チップ１０から読み取った郵便番号から場所が自動展開され移動制限の可否が自動判断されようにしてもよい。
【００７３】
なお、読取装置３０及び書込装置２０等の装置識別番号は、当該装置の置かれている郵便番号で紐付されることでチップ１０が埋め込まれた生体の移動履歴が生成されることになる。
読取装置３０及び書込装置２０等がチップ１０にアクセスする際に、当該装置の郵便番号を移動履歴として書き込む。このように、読取装置３０及び書込装置２０等の具体的な位置ではなく、郵便番号を書き込むことで、当該装置設置場所が特定され、テロリズムに利用されることを回避できる。
【００７４】
管理サーバ４０は、一つでなく、複数でもよい、個体を初期登録した郵便番号の属する自治体あるいは国がマスターを持つべきで、さらにブロックチェーンなどを用い、移動先の郵便番号の属する自治体などと持ち合いで改竄のリスクを減らすようにしてもよい。
また、本実施形態において、読取装置３０及び書込装置４０は、それぞれ記憶部を持ち、チップ１０へのアクセス（読取／書込）の履歴を記憶するようにしてもよい。
【符号の説明】
【００７５】
１０    チップ
１１    記憶情報
２０、２０Ｂ  書込装置
２１、２１Ｂ  書込部
２２、２２Ｂ  通信部
２３Ｂ  読取部
２４Ｂ  表示部
２５Ｂ  入力部
３０、２０Ｂ  読取装置
３１    読取部
３２    通信部
４０    管理サーバ
４１    通信部
４２    判定部
４３    記憶部
４４    認証部
５１    表示部
５２    入力部
６０    情報端末
６１    生体情報
１００  移動履歴情報確認システム
１１０  チップ識別情報
１２０  移動履歴情報
１２１  移動履歴
１３０  ワクチン接種履歴情報
１４０  個体識別情報
１５０  生体認証情報
１６０  ワクチン有効性判定情報
２００  移動履歴情報確認システム
Ｎ      ネットワーク
【要約】      （修正有）【課題】プライバシーを適度に保護しつつ、世界の各地で、個人の移動履歴情報を取得し、この移動履歴情報に基づいて個人の伝染病の感染状態を容易、迅速、かつ、確実に判定することが可能な、移動履歴情報確認システム、移動履歴確認方法及び移動履歴情報確認方法並びにこれらに用いる読取装置、書込装置及びチップを提供する。【解決手段】移動履歴情報確認システム１００において、読取装置は、個体に埋め込まれたチップに記憶された記憶情報を読み取る。記憶情報は、少なくとも、チップをそれ以外のチップと識別可能とするチップ識別情報と、個体の移動履歴を有する移動履歴情報と、を含む。移動履歴は、郵便番号と、郵便番号に対応する所定地域への到着日時と、に基づいて作成される。【選択図】図１【図１】
0006960184.tif 000002
【図２】
0006960184.tif 000003
【図３】
0006960184.tif 000004
【図４】
0006960184.tif 000005
【図５】
0006960184.tif 000006
【図６】
0006960184.tif 000007
【図７】
0006960184.tif 000008
【図８】
0006960184.tif 000009